(57)【要約】【課題】エネルギー使用実態の計測データの整理等を迅速に行うことができかつ各種グラフを容易に作成することができる省エネ診断業務支援システムおよび方法を提供する。【解決手段】省エネ診断業務支援システム１は、第１乃至第６の計測器２１〜２６で計測された計測データを収集するための計測データ収集装置２０と、計測データ収集装置２０と通信回線３０を介して相互接続された省エネ診断業務支援サーバ１０と、省エネ診断業務支援サーバ１０に接続された計測データ記憶装置１３と、省エネ診断業務支援サーバ１０と相互接続された端末装置１６とを具備する。省エネ診断業務支援サーバ１０は、端末装置１６から送信されてくる統括表のインターバルおよび計測対象の単位のデータに基づいて計測データを用いて統括表を作成するとともに、端末装置１６から送信されてくる選択されたグラフパターンに応じたグラフを統括表に基づいて作成する。【選択図】  図１
2005352714.tif 000002
【特許請求の範囲】
【請求項１】
計測器（２１〜２６）により計測された計測データを収集するための計測データ収集装置（２０）と、
該計測データ収集装置と通信回線（３０）を介して相互接続された省エネ診断業務支援サーバ（１０）と、
該省エネ診断業務支援サーバに接続されたかつ前記計測データ収集装置で収集された計測データを格納するための計測データ記憶装置（１３）と、
前記省エネ診断業務支援サーバと相互接続された端末装置（１６）と、
を具備し、
前記省エネ診断業務支援サーバが、「統括表項目の設定および統括表の作成を行う」旨が前記端末装置から送信されてくると、統括表項目の設定を行わせるための統括表項目設定画面および統括表の作成に必要な統括表のインターバルおよび計測対象の単位を入力させるための統括表作成画面を該端末装置に送信して表示させたのち、前記端末装置から送信されてくる前記統括表のインターバルおよび前記計測対象の単位のデータに基づいて前記計測データ記憶装置に格納された前記計測データを用いて前記統括表を作成し、
前記省エネ診断業務支援サーバが、「グラフの作成を行う」旨が前記端末装置から送信されてくると、「グラフパターンの選択」をさせるためのグラフパターン選択画面を該端末装置に送信して表示させたのち、該端末装置から送信されてくる選択されたグラフパターンに応じたグラフを前記統括表に基づいて作成する、
ことを特徴とする、省エネ診断業務支援システム。
【請求項２】
前記省エネ診断業務支援サーバに接続されたかつ物件情報のデータを格納するための物件登録記憶装置（１１）と、
前記省エネ診断業務支援サーバに接続されたかつ計測ポイント情報を格納するための計測ポイント情報記憶装置（１２）と、
をさらに具備し、
前記省エネ診断業務支援サーバが、「計測ポイント一覧表を作成する」旨が前記端末装置から送信されてくると、前記物件登録記憶装置から取り出した前記物件情報のデータと前記計測ポイント情報記憶装置から取り出した前記計測ポイント情報のデータとを参照して計測ポイント一覧表を作成する、
ことを特徴とする、請求項１記載の省エネ診断業務支援システム。
【請求項３】
前記省エネ診断業務支援サーバに接続されたかつ前記統括表および前記計測ポイント一覧表を格納するための表記憶装置（１４）と、
前記省エネ診断業務支援サーバに接続されたかつ前記グラフを格納するためのグラフ記憶装置（１５）と、
をさらに具備することを特徴とする、請求項１または２記載の省エネ診断業務支援システム。
【請求項４】
省エネ診断業務支援サーバ（１０）が、「省エネ診断業務を行う」旨が端末装置（１６）から送信されてくると、省エネ診断の対象である物件の登録をするための物件登録画面を該端末装置に送信して表示させたのち、該端末装置から送信されてくる物件情報のデータを物件登録記憶装置（１１）に格納するステップ（Ｓ１１）と、
前記省エネ診断業務支援サーバが、「計測ポイント情報の設定を行う」旨が前記端末装置から送信されてくると、省エネ診断を行うのに必要な計測データを得るために必要な計測ポイント情報を入力させるための計測ポイント情報入力画面を該端末装置に送信して表示させたのち、該端末装置から送信されてくる前記計測ポイント情報のデータを計測ポイント情報記憶装置（１２）に格納するステップ（Ｓ１２）と、
前記省エネ診断業務支援サーバが、「計測データの取り込みを行う」旨が前記端末装置
から送信されてくると、前記物件登録記憶装置に格納された前記物件情報のデータと前記計測ポイント情報記憶装置に格納された前記計測ポイント情報のデータとに基づいて、計測器（２１〜２６）により計測された計測データを取り込んで計測データ記憶装置（１３）に格納するステップ（Ｓ１３）と、
前記省エネ診断業務支援サーバが、「統括表項目の設定および統括表の作成を行う」旨が前記端末装置から送信されてくると、統括表項目の設定を行わせるための統括表項目設定画面および統括表の作成に必要な統括表のインターバルおよび計測対象の単位を入力させるための統括表作成画面を該端末装置に送信して表示させたのち、前記端末装置から送信されてくる前記統括表のインターバルおよび前記計測対象の単位のデータに基づいて、前記計測データ記憶装置に格納された計測データを用いて前記統括表を作成するステップ（Ｓ１４，１５）と、
前記省エネ診断業務支援サーバが、「グラフの作成を行う」旨が前記端末装置から送信されてくると、「グラフパターンの選択」をさせるためのグラフパターン選択画面を該端末装置に送信して表示させたのち、該端末装置から送信されてくる選択されたグラフパターンに応じたグラフを前記統括表に基づいて作成するステップ（Ｓ１９〜Ｓ２２）と、
を備えることを特徴とする、省エネ診断業務支援方法。
【請求項５】
前記省エネ診断業務支援サーバが、「計測ポイント一覧表を作成する」旨が前記端末装置から送信されてくると、前記物件登録記憶装置から取り出した前記物件情報のデータと前記計測ポイント情報記憶装置から取り出した前記計測ポイント情報のデータとを参照して計測ポイント一覧表を作成するステップ（Ｓ１６）をさらに備えることを特徴とする、請求項４記載の省エネ診断業務支援方法。
【請求項６】
前記省エネ診断業務支援サーバが、統括項目の追加を示す「計算値の追加」が選択された旨が前記端末装置から送信されてくると、追加する統括項目の名称および既存の統括項目の数値と任意の数字との組み合わせ計算式を入力させるための計算値追加画面を該端末装置に送信して表示させたのち、統括項目の名称と組み合わせ計算式により計算された計算値とが該端末装置から送信されてくると、該統括項目の名称と該計算値とを前記統括表に追加し、該統括項目が追加された統括表を前記表記憶装置に格納するステップ（Ｓ１７）をさらに備えることを特徴とする、請求項４または５記載の省エネ診断業務支援方法。
【発明の詳細な説明】
【技術分野】
【０００１】
本発明は、省エネ診断業務支援システムおよび方法に関し、特に、省エネ診断手法により得られた電力，燃料流量，給水量，温度および外気温などの計測データの加工や分析を行うのに好適な省エネ診断業務支援システムおよび方法に関する。
【背景技術】
【０００２】
従来、電力会社などでは、顧客への省エネ（省エネルギー）提案やコスト低減提案をするために、まずエネルギー使用実態（たとえば、電力，燃料流量，給水量，温度および外気温など）を計測して把握したのち、計測データを加工および分析して、その結果を報告書にまとめて顧客に納付している。
【０００３】
なお、ビルのオーナーなどに経済的な負担をかけることなくまた各ビルに常駐しているオペレータの練度が低い場合でも最適な省エネ処理を行わせて地球全体規模の省エネ，地球温暖化防止，省資源化などを促進させる省エネルギー診断方法およびシステムとして、以下の特許文献１に記載されたものが提案されている。また、住い手だけでなく他の家庭の消費電力量と比較を行うことで省エネに対する啓発意識を継続でき省エネ効果を持続させるエネルギー管理システムとして、以下の特許文献２に記載されたものが提案されている。
【特許文献１】特開２００２−３１２４５７号公報
【特許文献２】特開２００３−１６２７８７号公報
【発明の開示】
【発明が解決しようとする課題】
【０００４】
しかしながら、このような省エネ診断業務を行うに際には多量の計測データを整理し加工し分析する必要があるほか、報告書を作成する際には計測調査結果を示す各種のグラフを作成する必要があるため、業務効率を改善するために省エネ診断業務を支援するシステムの開発が望まれている。
【０００５】
本発明の目的は、エネルギー使用実態の計測データの整理，加工および分析を迅速に行うことができるとともに報告書に添付する各種グラフを容易に作成することができる省エネ診断業務支援システムおよび方法を提供することにある。
【課題を解決するための手段】
【０００６】
本発明の省エネ診断業務支援システムは、計測器（２１〜２６）により計測された計測データを収集するための計測データ収集装置（２０）と、該計測データ収集装置と通信回線（３０）を介して相互接続された省エネ診断業務支援サーバ（１０）と、該省エネ診断業務支援サーバに接続されたかつ前記計測データ収集装置で収集された計測データを格納するための計測データ記憶装置（１３）と、前記省エネ診断業務支援サーバと相互接続された端末装置（１６）とを具備し、前記省エネ診断業務支援サーバが、「統括表項目の設定および統括表の作成を行う」旨が前記端末装置から送信されてくると、統括表項目の設定を行わせるための統括表項目設定画面および統括表の作成に必要な統括表のインターバルおよび計測対象の単位を入力させるための統括表作成画面を該端末装置に送信して表示させたのち、前記端末装置から送信されてくる前記統括表のインターバルおよび前記計測対象の単位のデータに基づいて前記計測データ記憶装置に格納された前記計測データを用いて前記統括表を作成し、前記省エネ診断業務支援サーバが、「グラフの作成を行う」旨が前記端末装置から送信されてくると、「グラフパターンの選択」をさせるためのグラフパターン選択画面を該端末装置に送信して表示させたのち、該端末装置から送信されてく
る選択されたグラフパターンに応じたグラフを前記統括表に基づいて作成することを特徴とする。
ここで、前記省エネ診断業務支援サーバに接続されたかつ物件情報のデータを格納するための物件登録記憶装置（１１）と、前記省エネ診断業務支援サーバに接続されたかつ計測ポイント情報を格納するための計測ポイント情報記憶装置（１２）とをさらに具備し、前記省エネ診断業務支援サーバが、「計測ポイント一覧表を作成する」旨が前記端末装置から送信されてくると、前記物件登録記憶装置から取り出した前記物件情報のデータと前記計測ポイント情報記憶装置から取り出した前記計測ポイント情報のデータとを参照して計測ポイント一覧表を作成してもよい。
また、前記省エネ診断業務支援サーバに接続されたかつ前記統括表および前記計測ポイント一覧表を格納するための表記憶装置（１４）と、前記省エネ診断業務支援サーバに接続されたかつ前記グラフを格納するためのグラフ記憶装置（１５）とをさらに具備してもよい。
【０００７】
本発明の省エネ診断業務支援方法は、省エネ診断業務支援サーバ（１０）が、「省エネ診断業務を行う」旨が端末装置（１６）から送信されてくると、省エネ診断の対象である物件の登録をするための物件登録画面を該端末装置に送信して表示させたのち、該端末装置から送信されてくる物件情報のデータを物件登録記憶装置（１１）に格納するステップ（Ｓ１１）と、前記省エネ診断業務支援サーバが、「計測ポイント情報の設定を行う」旨が前記端末装置から送信されてくると、省エネ診断を行うのに必要な計測データを得るために必要な計測ポイント情報を入力させるための計測ポイント情報入力画面を該端末装置に送信して表示させたのち、該端末装置から送信されてくる前記計測ポイント情報のデータを計測ポイント情報記憶装置（１２）に格納するステップ（Ｓ１２）と、前記省エネ診断業務支援サーバが、「計測データの取り込みを行う」旨が前記端末装置から送信されてくると、前記物件登録記憶装置に格納された前記物件情報のデータと前記計測ポイント情報記憶装置に格納された前記計測ポイント情報のデータとに基づいて、計測器（２１〜２６）により計測された計測データを取り込んで計測データ記憶装置（１３）に格納するステップ（Ｓ１３）と、前記省エネ診断業務支援サーバが、「統括表項目の設定および統括表の作成を行う」旨が前記端末装置から送信されてくると、統括表項目の設定を行わせるための統括表項目設定画面および統括表の作成に必要な統括表のインターバルおよび計測対象の単位を入力させるための統括表作成画面を該端末装置に送信して表示させたのち、前記端末装置から送信されてくる前記統括表のインターバルおよび前記計測対象の単位のデータに基づいて、前記計測データ記憶装置に格納された計測データを用いて前記統括表を作成するステップ（Ｓ１４，１５）と、前記省エネ診断業務支援サーバが、「グラフの作成を行う」旨が前記端末装置から送信されてくると、「グラフパターンの選択」をさせるためのグラフパターン選択画面を該端末装置に送信して表示させたのち、該端末装置から送信されてくる選択されたグラフパターンに応じたグラフを前記統括表に基づいて作成するステップ（Ｓ１９〜Ｓ２２）とを備えることを特徴とする。
ここで、前記省エネ診断業務支援サーバが、「計測ポイント一覧表を作成する」旨が前記端末装置から送信されてくると、前記物件登録記憶装置から取り出した前記物件情報のデータと前記計測ポイント情報記憶装置から取り出した前記計測ポイント情報のデータとを参照して計測ポイント一覧表を作成するステップ（Ｓ１６）をさらに備えてもよい。
また、前記省エネ診断業務支援サーバが、統括項目の追加を示す「計算値の追加」が選択された旨が前記端末装置から送信されてくると、追加する統括項目の名称および既存の統括項目の数値と任意の数字との組み合わせ計算式を入力させるための計算値追加画面を該端末装置に送信して表示させたのち、統括項目の名称と組み合わせ計算式により計算された計算値とが該端末装置から送信されてくると、該統括項目の名称と該計算値とを前記統括表に追加し、該統括項目が追加された統括表を前記表記憶装置に格納するステップ（Ｓ１７）をさらに備えてもよい。
【発明の効果】
【０００８】
本発明の省エネ診断業務支援システムおよび方法は、次の効果を有する。
（１）データ登録・取り込み作業およびグラフ作成作業を省エネ診断業務支援サーバと端末装置との間で対話形式により行うことにより、エネルギー使用実態の計測データの整理，加工および分析を迅速に行うことができるとともに報告書に添付する各種グラフを容易に作成することができる。
（２）グラフパターン選択画面および予め定められたグラフ作成手順に従ってグラフ作成に必要なデータを入力させる画面（日付決定画面や第１乃至第４のグラフ項目入力画面など）を省エネ診断業務支援サーバから端末装置に送信させて表示させることにより、報告書に添付する各種グラフを容易にかつ効率的に作成することができる。
【発明を実施するための最良の形態】
【０００９】
エネルギー使用実態の計測データの整理，加工および分析を迅速に行うことができるとともに報告書に添付する各種グラフを容易に作成することができるという目的を、省エネ診断業務支援サーバに、統括表項目の設定を行わせるための統括表項目設定画面および統括表の作成に必要な統括表のインターバルおよび計測対象の単位を入力させるための統括表作成画面を端末装置に送信して表示させたのち、端末装置から送信されてくる統括表のインターバルおよび計測対象の単位のデータに基づいて計測データを用いて統括表を作成させるとともに、「グラフパターンの選択」をさせるためのグラフパターン選択画面を端末装置に送信して表示させたのち、端末装置から送信されてくる選択されたグラフパターンに応じたグラフを統括表に基づいて作成させることにより実現した。
【実施例１】
【００１０】
以下、本発明の省エネ診断業務支援システムおよび方法の実施例について図面を用いて説明する。
本発明の一実施例による省エネ診断業務支援システム１は、図１に示すように、電力会社に設けられた省エネ診断業務支援サーバ１０と、省エネ診断業務支援サーバ１０に接続された物件登録記憶装置１１，計測ポイント情報記憶装置１２，計測データ記憶装置１３，表記憶装置１４およびグラフ記憶装置１５と、省エネ診断業務支援サーバ１０と社内ＬＡＮなどで相互接続された端末装置１６と、顧客工場に設けられたかつ省エネ診断業務支援サーバ１０と通信回線３０を介して相互接続された計測データ収集装置２０と、顧客工場に設けられたかつ計測データ収集装置２０に接続された第１乃至第６の計測器２１〜２６とを備える。
【００１１】
ここで、第１乃至第６の計測器２１〜２６は、図２に示すような計測の対象となる第１乃至第６の統括項目４１〜４６にそれぞれ設けられればよいが、計測できない箇所や作業のし易さなどの理由から同図に示す第１乃至第６の計測ポイント６１〜６６にそれぞれ設けられている。
すなわち、第１の計測器２１は受電点または発電点である第１の計測ポイント６１に設けられており、第２の計測器２２は第１のまとまり５１を示す点である第２の計測ポイント６２に設けられており、第３の計測器２３は第２のまとまり５２を示す点である第３の計測ポイント６３に設けられており、第４乃至第６の計測器２４〜２６は第１，第３および第５の統括項目４１，４３，４５を示す点である第４乃至第６の計測ポイント６４〜６６に設けられている。
【００１２】
なお、このように第１乃至第６の計測器２１〜２６を第１乃至第６の計測ポイント６１〜６６にそれぞれ設けても、計測対象が同じ（たとえば、電力）であれば、第１乃至第６の統括項目４１〜４６における計測データは以下のようにして求めることができる。
第１の統括項目４１＝第４の計測ポイント６４＜供給＞
第２の統括項目４２＝第２の計測ポイント６２＜供給＞−第１の計測ポイント６４＜
消費＞−第５の計測ポイント６５＜消費＞
第３の統括項目４３＝第５の計測ポイント６５＜供給＞
第４の統括項目４４＝第３の計測ポイント６３＜供給＞−第６の計測ポイント６６＜消費＞
第５の統括項目４５＝第６の計測ポイント６６＜供給＞
第６の統括項目４６＝第１の計測ポイント６１＜供給＞−第２の計測ポイント６２＜消費＞−第３の計測ポイント６３＜消費＞
ここで、＜供給＞は供給側であることを示しており、＜消費＞は消費側であることを示している。
【００１３】
また、後述するグラフを作成する際の統括項目のまとまりである第１乃至第３のまとまり５１〜５３における計測データは以下のようにして求めることができる。
第１のまとまり５１＝第１の統括項目４１＋第２の統括項目４２＋第３の統括項目４３
第２のまとまり５２＝第４の統括項目４４＋第５の統括項目４５
第３のまとまり５３＝第６の統括項目４６
【００１４】
次に、省エネ診断業務支援システム１の動作について、図３に示したフローチャートを参照して説明する。
電力会社の担当者が省エネ診断業務を行う際には、まず端末装置１６を用いてデータ登録・取り込み作業を以下のようにして行う。
担当者は「省エネ診断業務を行う」旨を端末装置１６から省エネ診断業務支援サーバ１０に送信する。これに応じて、省エネ診断業務支援サーバ１０は、省エネ診断の対象である物件の登録をするための画面（以下、「物件登録画面」と称する。）を端末装置１６に送信して表示させる。
担当者は、端末装置１６に表示された物件登録画面を参照して、物件情報として、物件名（たとえば、○○工場）と、物件計画名称（たとえば、２００３夏）と、計測開始日（たとえば、２００３／０９／０１），計測開始時刻（たとえば、００：００：００），計測終了日（たとえば、２００３／０９／３０）および計測終了時刻（たとえば、９：００：００）とを入力する。
以上のようにして入力された物件情報（物件名，物件計画名称，計測開始日，計測開始時刻，計測終了日および計測終了時刻）のデータは、端末装置１６から省エネ診断業務支援サーバ１０に送信されたのち、物件登録記憶装置１１に格納される（以上、ステップＳ１１）。
【００１５】
続いて、担当者は「計測ポイント情報の設定を行う」旨を端末装置１６から省エネ診断業務支援サーバ１０に送信する。これに応じて、省エネ診断業務支援サーバ１０は、省エネ診断を行うのに必要な計測データを得るために必要な計測ポイント情報を入力させるための画面（以下、「計測ポイント情報入力画面」と称する。）を端末装置１６に送信して表示させる。
担当者は、端末装置１６に表示された計測ポイント情報入力画面を参照して、計測ポイント名称（たとえば、図２に示した第１乃至第６の計測ポイント６１〜６６の名称），計測対象選択（たとえば、電力，流量，温度（外気温以外），外気温など），計測器タイプ（たとえば、表１に示すようなプルダウンメニュー一覧から選択したもの）および計測インターバル（たとえば、１，５，１０，２０，６０分）を計測ポイント情報として入力する。
以上のようにして入力された計測ポイント情報（計測ポイント名称，計測対象選択，計測器タイプおよび計測インターバル）のデータは、端末装置１６から省エネ診断業務支援サーバ１０送信されたのち、計測ポイント情報記憶装置１２に格納される（以上、ステップＳ１２）。
【表１】
2005352714.tif 000003
【００１６】
続いて、担当者は「計測データの取り込みを行う」旨を端末装置１６から省エネ診断業務支援サーバ１０に送信する。これに応じて、省エネ診断業務支援サーバ１０は、物件登録記憶装置１１に格納されている物件名，物件計画名称，計測開始日，計測開始時刻，計測終了日および計測終了時刻のデータと計測ポイント情報記憶装置１２に格納されている計測ポイント情報のデータとを取り出したのち、取り出したデータの確認をさせるための画面（以下、「データ確認画面」と称する。）を端末装置１６に送信して表示させる。
担当者は、端末装置１６に表示されたデータ確認画面を参照して、表示されている内容に誤りがないか否かを確認し、誤りがない場合には計測データ取り込み指示を端末装置１６から省エネ診断業務支援サーバ１０に送信する。
計測データ取り込み指示を受信した省エネ診断業務支援サーバ１０は、物件登録記憶装置１１から取り出した計測開始日，計測開始時刻，計測終了日および計測終了時刻のデータと計測ポイント情報記憶装置１２から取り出した計測ポイント情報に含まれている計測ポイント名称および計測インターバルのデータと計測データの送信を要求する計測データ送信要求信号とを通信回線３０を介して計測データ収集装置２０に送信する。
これらのデータおよび計測データ送信要求信号を受信した計測データ収集装置２０は、第１乃至第６の計測器２１〜２６から収集していた計測データのうち、受信した計測開始日および計測開始時刻のデータが示す計測開始日時から受信した計測終了日および計測終了時刻のデータが示す計測終了日時までの計測データかつ受信した計測インターバルのデータが示すインターバルの計測データを通信回線３０を介して省エネ診断業務支援サーバ１０に送信する。
省エネ診断業務支援サーバ１０は、受信した計測データを計測データ記憶装置１３に格納する（以上、ステップＳ１３）。
【００１７】
続いて、担当者は「統括表項目の設定および統括表の作成を行う」旨を端末装置１６から省エネ診断業務支援サーバ１０に送信する。これに応じて、省エネ診断業務支援サーバ１０は、統括表項目の設定を行わせるための画面（以下、「統括表項目設定画面」と称する。）を端末装置１６に送信して表示させる。
担当者は、端末装置１６に表示された統括表項目設定画面を参照して、統括表項目名称（たとえば、２階空調系統など）と計測ポイント名（たとえば、図２に示した第１乃至第６の計測ポイント６１〜６６のうちの該当するもの）と計測ポイントの供給側および消費側の別とを統括表項目設定情報として入力する。
以上のようにして入力された統括表項目設定情報（統括表項目名称，計測ポイント名，
計測ポイントの供給側および消費側の別）のデータは、端末装置１６から省エネ診断業務支援サーバ１０に送信される（以上、ステップＳ１４）。
【００１８】
統括表項目設定情報を受信した省エネ診断業務支援サーバ１０は、統括表の作成に必要な統括表のインターバルおよび計測対象（たとえば、電力）の単位を入力させるための画面（以下、「統括表作成画面」と称する。）を端末装置１６に送信して表示させる。
担当者は、端末装置１６に表示された統括表作成画面を参照して、統括表のインターバル（たとえば、１，５，１０，３０，６０分のいずれか）および計測対象の一つである電力の単位（たとえば、ｋＷｈ／ｈおよびｋＷｈ／３０ｍｉｎなど）を入力する。
入力された統括表のインターバルおよび計測対象の単位のデータは、端末装置１６から省エネ診断業務支援サーバ１０に送信されたのち、これらのデータに基づいて表２に一例を示すような統括表が省エネ診断業務支援サーバ１０により作成される。
作成された統括表は、表記憶装置１４に格納される（以上、ステップＳ１５）。
【表２】
2005352714.tif 000004
【００１９】
なお、担当者が後日に省エネ診断報告書に掲載するために「計測ポイント一覧表を作成する」旨を端末装置１６から省エネ診断業務支援サーバ１０に送信すると、省エネ診断業務支援サーバ１０は、物件登録記憶装置１１から取り出した計測開始日および計測終了日のデータと計測ポイント情報記憶装置１２から取り出した計測ポイント情報に含まれている計測ポイント名称，計測対象選択および計測器タイプのデータとを参照して、表３に一例を示すような計測ポイント一覧表を作成して、作成した計測ポイント一覧表を端末装置１６に送信して表示させる。また、作成された計測ポイント一覧表は、省エネ診断業務支援サーバ１０により表記憶装置１４に格納される（以上、ステップＳ１６）。
【表３】
2005352714.tif 000005
【００２０】
以上のようにしてデータ登録・取り込み作業を終了すると、担当者は端末装置１６を用いてグラフ作成作業を以下のようにして行う。
担当者は「グラフの作成を行う」旨を端末装置１６から省エネ診断業務支援サーバ１０に送信する。これに応じて、省エネ診断業務支援サーバ１０は、「統括表表示」，「計算値の追加」，「まとまりの設定」，「グラフパターンの選択」および「グラフ作成」のいずれかを選択をさせるためのメニュー画面を端末装置１６に送信して表示させる。
担当者は、端末装置１６に表示されたメニュー画面を参照して、統括項目の追加をしたい場合には「計算値の追加」を選択する。「計算値の追加」が選択された旨が端末装置１６から省エネ診断業務支援サーバ１０に送信されると、省エネ診断業務支援サーバ１０は、追加する統括項目の名称および既存の統括項目の数値と任意の数字との組み合わせ計算式を入力させるための画面（以下、「計算値追加画面」と称する。）を端末装置１６に送信して表示させる。
担当者は、端末装置１６に表示された計算値追加画面を参照して、統括項目の名称および組み合わせ計算式を入力する。この入力された統括項目の名称とこの入力された組み合わせ計算式により計算された計算値とは端末装置１６から省エネ診断業務支援サーバ１０に送信されて、統括表の最終列に追加される。この統括項目が追加された統括表は、省エネ診断業務支援サーバ１０により表記憶装置１４に格納される（以上、ステップＳ１７）。
【００２１】
続いて、担当者は、端末装置１６に表示されたメニュー画面を参照して、まとまりの設定をしたい場合には「まとまりの設定」を選択する。「まとまりの設定」が選択された旨が端末装置１６から省エネ診断業務支援サーバ１０に送信されると、省エネ診断業務支援サーバ１０は、まとまりの名称および登録する統括項目の名称を入力させるための画面（以下、「まとまり設定画面」と称する。）を端末装置１６に送信して表示させる。
担当者は、端末装置１６に表示されたまとまり設定画面を参照して、まとまりの名称および登録する統括項目の名称を入力する。たとえば、図２に示した例では、以下のような入力を行う。
（１）まとまりの名称として第１のまとまり５１の名称を入力し、登録する統括項目の名称として第１乃至第３の統括項目４１〜４３の名称を入力する。
（２）まとまりの名称として第２のまとまり５２の名称を入力し、登録する統括項目の名称として第４および第５の統括項目４４，４５の名称を入力する。
（３）まとまりの名称として第３のまとまり５３の名称を入力し、登録する統括項目の名称として第６の統括項目４６の名称を入力する。
この入力されたまとまりの名称および登録する統括項目の名称とは端末装置１６から省エネ診断業務支援サーバ１０に送信されて、表記憶装置１４に格納される（以上、ステップＳ１８）。
【００２２】
続いて、担当者は、端末装置１６に表示されたメニュー画面を参照して、作成するグラフのパターンの選択をしたい場合には「グラフパターンの選択」を選択する。「グラフパターンの選択」が選択された旨が端末装置１６から省エネ診断業務支援サーバ１０に送信されると、省エネ診断業務支援サーバ１０は、グラフのパターンを選択させる画面（以下、「グラフパターン選択画面」と称する。）を端末装置１６に送信して表示させる。
なお、グラフパターンとしては、たとえば以下に示すような第１乃至第４のグラフパターンが用意されている。
（１）第１のグラフパターンとして、図４に一例を示すような「期間推移  面グラフ」（ただし、電力のみ）と、図５に一例を示すような「期間推移  棒グラフ」
（２）第２のグラフパターンとして、図６に一例を示すような「（電力  日推移）グラフ」
（３）第３のグラフパターンとして、図７に一例を示すような「面グラフおよび散布図」と、図８に一例を示すような「時間帯指定  散布図」
（４）第４のグラフパターンとして、図９に一例を示すような「積み重ねグラフおよび積み重ねの各部グラフ」
【００２３】
担当者は、端末装置１６に表示されたグラフパターン選択画面を参照して、作成するグラフのパターンを選択する。たとえば担当者が第１のグラフパターンの「期間推移  面グラフ」を選択すると（ステップＳ１９）、その旨が端末装置１６から省エネ診断業務支援サーバ１０に送信される。省エネ診断業務支援サーバ１０は、予め定められたグラフ作成手順に従って、グラフを作成する期間（（グラフ作成）日付）を入力させるための画面（以下、「日付決定画面」と称する。）を端末装置１６に送信して表示させる。
担当者は、端末装置１６に表示された日付決定画面を参照して、たとえば開始日として「２００３／０９／０１」を入力するとともに終了日として「２００３／０９／０７」を入力する（ステップＳ２０）。入力された開始日および終了日のデータは端末装置１６から省エネ診断業務支援サーバ１０に送信される。省エネ診断業務支援サーバ１０は、表記憶装置１４に格納されている統括表から、受信した開始日から受信した終了日までのデータを取り出して、図４に示したような「期間推移  面グラフ」を作成する。作成された「期間推移  面グラフ」は、端末装置１６に送信されて表示されるとともにグラフ記憶装置１５に格納される（ステップＳ２１）。
【００２４】
また、作成するグラフのパターンとして担当者が第１のグラフパターンの「期間推移  棒グラフ」を選択すると（ステップＳ１９）、その旨が端末装置１６から省エネ診断業務支援サーバ１０に送信される。省エネ診断業務支援サーバ１０は、予め定められたグラフ作成手順に従って、グラフ項目（たとえば、対象（電力，流量など），Ｙ軸単位，グラフのタイトルおよび期間（開始日および終了日）など）を入力させるための画面（以下、「第１のグラフ項目入力画面」と称する。）を端末装置１６に送信して表示させる。
担当者は、端末装置１６に表示された第１のグラフ項目入力画面を参照して、たとえば、対象として「電力」、Ｙ軸単位として「ｋＷｈ」、グラフのタイトルとして「日電力量の期間推移」、期間として「２００３／０９／０１から２００３／０９／０９」を入力することにより、グラフ項目を入力する（ステップＳ２０）。入力されたグラフ項目のデータは端末装置１６から省エネ診断業務支援サーバ１０に送信される。省エネ診断業務支援
サーバ１０は、表記憶装置１４に格納されている統括表から、受信した期間のデータを取り出して、図５に示したような「期間推移  棒グラフ」を作成する。作成された「期間推移  棒グラフ」は、端末装置１６に送信されて表示されるとともにグラフ記憶装置１５に格納される（ステップＳ２１）。なお、棒グラフの下に、その数値データを示す表を作成して表示してもよいし、また、受信した期間の天気データを表示してもよい。
【００２５】
作成するグラフのパターンとして担当者が第２のグラフパターンである「（電力  日推移）グラフ」を選択すると（ステップＳ１９）、上述した第１のパターンの「期間推移  面グラフ」と同様にしてステップＳ２０およびステップＳ２１の処理が行われ、その結果、図６に示したような「（電力  日推移）グラフ」が作成される。作成された「（電力  日推移）グラフ」は、端末装置１６に送信されて表示されるとともにグラフ記憶装置１５に格納される（ステップＳ２１）。
なお、図６の図示左下に示したような１項目を単独表示させた面グラフは任意のものであるため、この面グラフを作成するか否かを問い合わせる画面を省エネ診断業務支援サーバ１０から端末装置１６に送信して表示させ、担当者に問い合わせるようにしてもよい。
【００２６】
作成するグラフのパターンとして担当者が第３のグラフパターンの「面グラフおよび散布図」を選択すると（ステップＳ１９）、その旨が端末装置１６から省エネ診断業務支援サーバ１０に送信される。省エネ診断業務支援サーバ１０は、予め定められたグラフ作成手順に従って、グラフ項目（日付の設定（開始日および終了日），グラフの種類（面グラフまたは散布図），縦軸の設定，縦軸の単位，横軸の設定および横軸の単位）を入力させるための画面（以下、「第２のグラフ項目入力画面」と称する。）を端末装置１６に送信して表示させる。
担当者は、端末装置１６に表示された第２のグラフ項目入力画面を参照して、たとえば、日付の設定として「２００３／０９／０２から２００３／０９／０４」，グラフの種類として「面グラフ」、縦軸の設定として「ＮＯ１ボイラ水流量」、縦軸の単位として「Ｌ（リットル）」を入力することにより、グラフ項目を入力する。入力されたグラフ項目のデータは端末装置１６から省エネ診断業務支援サーバ１０に送信される。省エネ診断業務支援サーバ１０は、表記憶装置１４に格納されている統括表から、受信した日付の期間のＮＯ１ボイラ水流量のデータを取り出して、図７に示したような「面グラフ」を作成する（ステップＳ２２）。
また、担当者がたとえば日付の設定として「２００３／０９／０２から２００３／０９／０４」，グラフの種類として「散布図」、縦軸の設定として「ＮＯ１ボイラ水流量」、縦軸の単位として「Ｌ（リットル）」、横軸の設定として「ＮＯ１ボイラ油流量」、横軸の単位として「Ｌ（リットル）」を入力することによりグラフ項目を入力すると、入力されたグラフ項目のデータは端末装置１６から省エネ診断業務支援サーバ１０に送信される。省エネ診断業務支援サーバ１０は、表記憶装置１４に格納されている統括表から、受信した日付の期間のＮＯ１ボイラ水流量およびＮＯ１ボイラ油流量のデータを取り出して、図７に示したような「散布図」を作成する（ステップＳ２２）。
作成された「面グラフ」および「散布図」は、端末装置１６に送信されて表示されるとともにグラフ記憶装置１５に格納される。
【００２７】
作成するグラフのパターンとして担当者が第３のグラフパターンの「時間帯指定  散布図」を選択すると（ステップＳ１９）、その旨が端末装置１６から省エネ診断業務支援サーバ１０に送信される。省エネ診断業務支援サーバ１０は、予め定められたグラフ作成手順に従って、グラフ項目（日付の設定（開始日および終了日），時間帯の設定（開始時刻および終了時刻），縦軸の設定，縦軸の単位，横軸の設定および横軸の単位）を入力させるための画面（以下、「第３のグラフ項目入力画面」と称する。）を端末装置１６に送信して表示させる。
担当者は、端末装置１６に表示された第３のグラフ項目入力画面を参照して、たとえば
、日付の設定として「２００３／０９／０３から２００３／０９／０８」，時間帯の設定として「２２：００：００から０８：００：００」、縦軸の設定として「ＮＯ１ボイラ水流量」、縦軸の単位として「Ｌ（リットル）」、横軸の設定として「ＮＯ１ボイラ油流量」、横軸の単位として「Ｌ（リットル）」を入力することにより、グラフ項目を入力する。入力されたグラフ項目のデータは端末装置１６から省エネ診断業務支援サーバ１０に送信される。省エネ診断業務支援サーバ１０は、表記憶装置１４に格納されている統括表から、受信した日付の期間のかつ受信した時間帯のＮＯ１ボイラ水流量およびＮＯ１ボイラ油流量のデータを取り出して、図８に示したような「時間帯指定  散布図」を作成する（ステップＳ２２）。作成された「時間帯指定  散布図」は、端末装置１６に送信されて表示されるとともにグラフ記憶装置１５に格納される。
「時間帯指定  散布図」を作成することにより、たとえば、操業時間帯のみの特性を把握することが可能になり、外気温感応度が明確になりやすいといった効果が得られる。
【００２８】
作成するグラフのパターンとして担当者が第４のグラフパターンの「積み重ねグラフおよび積み重ねの各部グラフ」を選択すると（ステップＳ１９）、その旨が端末装置１６から省エネ診断業務支援サーバ１０に送信される。省エネ診断業務支援サーバ１０は、所定のグラフ作成手順に従って、グラフ項目（対象（電力または流量），縦軸の単位，グラフのタイトル、期間（開始日および終了日））を入力させるための画面（以下、「第４のグラフ項目入力画面」と称する。）を端末装置１６に送信して表示させる。
担当者は、端末装置１６に表示された第４のグラフ項目入力画面を参照して、たとえば、対象として「電力」、縦軸の単位として「ｋＷｈ」、グラフのタイトルとして「電力消費量（工場全体）」、期間として「２００３／０９／０１から２００３／０９／０４」を入力することにより、グラフ項目を入力する。入力されたグラフ項目のデータは端末装置１６から省エネ診断業務支援サーバ１０に送信される。省エネ診断業務支援サーバ１０は、表記憶装置１４に格納されている統括表から、受信した期間の工場全体の電力量のデータを取り出して、図９に示したような「積み重ねグラフおよび積み重ねの各部グラフ」を作成する（ステップＳ２２）。なお、グラフが見易いように、積み重ねグラフの縦軸の目盛りの間隔と積み重ねの各部グラフの縦軸の目盛りの間隔とは同じとした方がよい。
作成された「積み重ねグラフおよび積み重ねの各部グラフ」は、端末装置１６に送信されて表示されるとともにグラフ記憶装置１５に格納される。
【００２９】
省エネ診断業務支援システム１０におけるグラフの作成に際しては、市販のグラフ作成用ソフトウェアを使用してもよいし、専用のグラフ作成用ソフトウェアを開発して使用してもよい。
【００３０】
以上の説明では、計測データは、顧客工場に設けられた計測データ収集装置２０から通信回線３０を介して省エネ診断業務支援サーバ１０に送信したが、記憶媒体に計測データを格納して記憶媒体から省エネ診断業務支援サーバ１０が計測データを取り入れるようにしてもよい。
【産業上の利用可能性】
【００３１】
本発明の省エネ診断業務支援システムおよび方法は、省エネ診断手法により得られた電力，燃料流量，給水量，温度および外気温の計測データの加工や分析を行うのに使用することができる。
【図面の簡単な説明】
【００３２】
【図１】本発明の省エネ診断業務支援システムの一実施例の構成を示す図である。（実施例１）
【図２】図１示した第１乃至第６の計測器２１〜２６が設けられる位置の一例を説明するための図である。（実施例１）
【図３】図１示した省エネ診断業務支援システム１の動作を説明するためのフローチャートである。（実施例１）
【図４】第１のグラフパターンの一つである「期間推移  面グラフ」の一例を示す図である。（実施例１）
【図５】第１のグラフパターンの一つである「期間推移  棒グラフ」の一例を示す図である。（実施例１）
【図６】第２のグラフパターンである「（電力  日推移）グラフ」の一例を示す図である。（実施例１）
【図７】第３のグラフパターンの一つである「面グラフおよび散布図」の一例を示す図である。（実施例１）
【図８】第３のグラフパターンの一つである「時間帯指定  散布図」の一例を示す図である。（実施例１）
【図９】第４のグラフパターンである「積み重ねグラフおよび積み重ねの各部グラフ」の一例を示す図である。（実施例１）
【符号の説明】
【００３３】
１  省エネ診断業務支援システム
１０  省エネ診断業務支援サーバ
１１  物件登録記憶装置
１２  計測ポイント情報記憶装置
１３  計測データ記憶装置
１４  表記憶装置
１５  グラフ記憶装置
１６  端末装置
２０  計測データ収集装置
２１〜２６  第１乃至第６の計測器
３０  通信回線
４１〜４６  第１乃至第６の統括項目
６１〜６６  第１乃至第６の計測ポイント
５１〜５３  第１乃至第３のまとまり
Ｓ１１〜Ｓ２２  ステップ
【図１】
2005352714.tif 000006
【図２】
2005352714.tif 000007
【図３】
2005352714.tif 000008
【図４】
2005352714.tif 000009
【図５】
2005352714.tif 000010
【図６】
2005352714.tif 000011
【図７】
2005352714.tif 000012
【図８】
2005352714.tif 000013
【図９】
2005352714.tif 000014